(57)【要約】【課題】人感センサが人の不在を検知し、フィルタの掃除を開始する空気調和機において、不在時フィルタ掃除中に、ユーザが空気調和機を設置した部屋に入室する場合がある。【解決手段】吸込口及び吹出口を開口する筐体と、吸込口と吹出口とを連結する空気通路と、空気通路内に配される送風部と、空気通路内に配されるフィルタと、フィルタを掃除する掃除部と、携帯端末の位置情報を受信する受信部と、前記受信部から得られた携帯端末の位置情報に基づき掃除部の動作を制御する制御部とを備える。【選択図】図５
2020134025.tif 000002
【特許請求の範囲】
【請求項１】
吸込口及び吹出口を有する筐体と、
前記吸込口と前記吹出口とを連結する空気通路と、
前記空気通路内に配される送風部と、
前記空気通路内に配されるフィルタと、
前記フィルタを掃除する掃除部と、
携帯端末の位置情報を受信する受信部と、
前記受信部から得られた前記携帯端末の前記位置情報に基づき前記掃除部の動作を制御する制御部と
を備える空気調和機。
【請求項２】
前記空気調和機の設置位置と前記位置情報が示す前記携帯端末の位置との距離が所定距離よりも大きい場合、前記制御部は、前記掃除部の動作を実行する、請求項１に記載の空気調和機。
【請求項３】
所定空間内の人体の存在を検知する人感センサを備え、
前記人感センサが人体の存在を検知しない場合、前記制御部は、前記掃除部の動作を実行する、請求項２に記載の空気調和機。
【請求項４】
前記空気調和機の設置位置と前記位置情報が示す前記携帯端末の位置との距離が所定距離よりも大きい場合、前記制御部は、前記掃除部の動作の実行可否についての問い合わせを前記携帯端末に向けて行う、請求項１に記載の空気調和機。
【請求項５】
所定空間内の人体の存在を検知する人感センサを備え、
前記人感センサが人体の存在を検知した場合、前記制御部は、前記問い合わせを行う、請求項４に記載の空気調和機。
【発明の詳細な説明】
【技術分野】
【０００１】
本発明は、空気調和機に関する。
【背景技術】
【０００２】
特許文献１には、人の存否を検知する人体感知センサと、室内の空気に含まれる塵埃を吸塵する空気清浄ユニットを室内機に有する空気調和機が開示されている。当該空気調和機は、人体検知センサにより人の不在を検知したときに、空気清浄ユニットを作動するとともに、室内機に設けられた室内ファンの速度を空調運転時の速度より増大させ不在時クリーニングを行う。
【先行技術文献】
【特許文献】
【０００３】
【特許文献１】特開２００９−２６０２号公報
【発明の概要】
【発明が解決しようとする課題】
【０００４】
しかしながら、上記特許文献１においては、上記のように人の不在を検知した場合に不在時クリーニングを開始するが、不在時クリーニング中に当該室内機が設置された部屋に人が入室する場合がある。
上記課題に鑑み、本発明は、例えば、空気調和機のフィルタの掃除動作開始時には人がいない場合でも、フィルタの掃除中のタイミングで人が入室する状況を回避することができる空気調和機を実現する。
【課題を解決するための手段】
【０００５】
本発明の空気調和機は、吸込口及び吹出口を開口する筐体と、吸込口と吹出口とを連結する空気通路と、空気通路内に配される送風部と、空気通路内に配されるフィルタと、フィルタを掃除する掃除部と、携帯端末の位置情報を受信する受信部と、前記受信部から得られた携帯端末の位置情報に基づき掃除部の動作を制御する制御部とを備えることを特徴とする。
【図面の簡単な説明】
【０００６】
【図１】第１の実施形態にかかる空気調和機の一例を示す斜視図である。
【図２】図１の空気調和機の断面図である。
【図３】第１の実施形態にかかる、システム全体の制御ブロックの一例を示す図である。
【図４】第１の実施形態における空気調和機の制御部の機能的構成の一例を示す図である。
【図５】第１の実施形態にかかる空気調和機の処理フローの一例を示す図である。
【図６】第２の実施形態にかかる、システム全体の制御ブロックの一例を示す図である。
【図７】第２の実施形態にかかる空気調和機の制御部の機能的構成の一例を示す図である。
【図８】第２の実施形態にかかる処理フローの一例を示す図である。
【図９】第３の実施形態にかかる空気調和機の制御部の機能的構成の一例を示す図である。
【図１０】第３の実施形態にかかる処理フローの一例を示す図である。
【発明を実施するための形態】
【０００７】
以下、本発明の第１の実施形態について、図面を参照しつつ説明する。なお、図面については、同一又は同等の要素には同一の符号を付し、重複する説明は省略する。
＜第１の実施形態＞
【０００８】
図１は、第１の実施形態にかかる空気調和機１００の外観の一例を示す斜視図である。図２は、図１の空気調和機１００の断面図である。空気調和機１００は、室内の空気を調和する機器であって、例えば、空気清浄機である。図１及び図２に基づいて本実施形態にかかる空気調和機１００の構成について説明する。なお、矢印Ｓは空気の流れを示している。
【０００９】
空気調和機１００の外部構成は、筐体１０１、吹出口１０２、吸込口２０１、操作部１０３、表示部１０４を含む。
【００１０】
筐体１０１は、例えば、丸みを帯びたクサビ形状に成形されている。吸込口２０１は、例えば、筐体１０１の背面に設けられ、室内の空気を吸い込む。吹出口１０２は、例えば、筐体１０１の上面に設けられ、空気調和機１００で調和した空気を吹き出す。
【００１１】
操作部１０３は、例えば、筐体１０１の前面上部に設けられる。操作部１０３は、例えば、複数のボタン（図示せず）を有し、ユーザの操作によって空気調和機１００の動作設定を行う。表示部１０４は、例えば、筐体１０１の前面上部に設けられる。表示部１０４は、例えば、液晶ディスプレイであって、後述する制御部から送られる情報を表示する。
【００１２】
空気調和機１００の内部構成は、プレフィルタ２０２、集塵フィルタ２０３、掃除部２０４、送風機２０５、空気通路２０６を含む。
【００１３】
プレフィルタ２０２は、例えば、ポリプロピレン等によりシート状のメッシュに形成され、吸込口２０１に面して筐体１０１の背面に設けられる。プレフィルタ２０２によって吸気中の大きな塵埃を捕集する。
【００１４】
集塵フィルタ２０３は、例えば、ＨＥＰＡフィルタ（Ｈｉｇｈ  Ｅｆｆｉｃｉｅｎｃｙ  Ｐａｒｔｉｃｕｌａｔｅ  Ａｉｒフィルタ）から成り、濾材（図示せず）を覆うように枠材（図示せず）がホットメルトにより溶着される。集塵フィルタ２０３によって空気中の微細な塵埃や所定粒径（例えば３μｍ）よりも小さい粒径のＰＭ２．５等の微小粒子を捕集する。
【００１５】
掃除部２０４は、プレフィルタ２０２に設けられ、プレフィルタ２０２を掃除する。掃除部２０４は、例えば、駆動モータ（図示せず）ブラシ（図示せず）、集塵部（図示せず）、及び移動装置（図示せず）を含む。駆動モータは、ブラシを回転させる。ブラシは回転することでプレフィルタ２０２上の塵を除去する。集塵部はブラシが除去した塵を集める。移動装置は、掃除部２０４をプレフィルタ２０２上を移動させる。そして、掃除部２０４は、ブラシを回転させながら、プレフィルタ２０２上を移動することでプレフィルタ２０２を掃除する。後述する空気調和機制御部３０１は、掃除部２０４の駆動モータ及び移動装置を制御し、プレフィルタ２０２の掃除を行う。なお、プレフィルタ２０２をモータで移動させて、固定された掃除部２０４でプレフィルタ２０２上の塵を除去するように構成してもよい。
【００１６】
送風機２０５は、例えば、多翼ファン（シロッコファン）であって、モータ２０７及び、モータ２０７に駆動されるファン２０８含む。ファン２０８が回転することにより、吸込口２０１から室内の空気を吸い込み、吹出口１０２に向かって排気する。多翼ファン（シロッコファン）は一例であって、軸流ファンであっても良い。
【００１７】
空気通路２０６は、吸込口２０１と吹出口１０２を連結する。吸込口２０１から吹出口１０２に向かって（気流の上流から下流に向かって）順にプレフィルタ２０２、集塵フィルタ２０３、送風機２０５が設けられる。送風機２０５が排気した空気を吹出口１０２に導く。
【００１８】
図３は空気調和機１００、携帯端末３１０、及びネットワーク３２０を含むシステム全体の制御ブロックの一例を示す図である。空気調和機１００は、空気調和機制御部３０１、記憶部３０２、モータ２０７、掃除部２０４、操作部１０３、表示部１０４、及び通信部３０３を含む。空気調和機制御部３０１は、記憶部３０２、モータ２０７、掃除部２０４、操作部１０３、表示部１０４、及び通信部３０３が接続され、空気調和機１００を制御する。空気調和機１００の構成は、これらに限定されるものではない。
【００１９】
空気調和機制御部３０１は、例えばＭＣＵ（Ｍｉｃｒｏ  Ｃｏｎｔｒｏｌ  Ｕｎｉｔ）であって記憶部３０２に格納されるプログラムに従って各種の情報処理を実行する。記憶部３０２は、例えばフラッシュメモリであって、空気調和機制御部３０１で実行するプログラム及びデータを記憶する。モータ２０７、及び掃除部２０４は、すでに述べた通りである。モータ２０７、及び掃除部２０４は、駆動回路（図示せず）を介して、空気調和機制御部３０１からの信号によって駆動される。
【００２０】
操作部１０３は、例えば、電源キー（図示せず）、スタートキー（図示せず）等各種操作ボタンを備えている。ユーザからの操作部１０３の入力により空気調和機制御部３０１がプログラムの実行を行う。表示部１０４は、空気調和機制御部３０１によって制御され、例えば、空気調和機１００の操作画面や動作状態を表示する。
【００２１】
通信部３０３は、ＷｉＦｉアダプタ等のネットワークインターフェースであって、ネットワーク３２０を介して、他の機器、例えば携帯端末３１０の間で情報の送受信を行う。通信部３０３は、空気調和機１００の内部に設けてもよいし、空気調和機１００の外部に外部機器として設けてもよい。
【００２２】
次に、携帯端末３１０の構成について説明する。携帯端末３１０は、携帯できる情報機器であって、例えば、スマートフォンである。携帯端末３１０は、携帯端末制御部３１１、通信部３１２、記憶部３１３、表示部３１４、操作部３１５、及び位置情報取得部３１６を含む。携帯端末制御部３１１は、例えばＭＰＵ（Ｍｉｃｒｏ  Ｐｒｏｃｅｓｓｉｎｇ  Ｕｎｉｔ）であって、通信部３１２、記憶部３１３、表示部３１４、操作部３１５、及び位置情報取得部３１６が接続される。そして、記憶部３１３に格納されるプログラムに従って各種の情報処理を実行する。携帯端末３１０の構成は、これらに限定されるものではない。なお、通信部３１２及び記憶部３１３は、上記通信部３０３及び記憶部３０２と同様であるので説明を省略する。
【００２３】
表示部３１４は、例えば、液晶ディスプレイであって、携帯端末制御部３１１からの指示に従って、情報の表示を行う。操作部３１５は、例えばタッチパネルであって、ユーザの指示操作を受けて、当該指示操作の内容を携帯端末制御部３１１に出力する。なお、タッチパネルディスプレイの場合には表示部３１４と操作部３１５は一体となっている。
【００２４】
位置情報取得部３１６は、携帯端末３１０の地理的位置を示す携帯端末３１０位置情報を取得する。例えば、ＧＰＳ（Ｇｌｏｂａｌ  Ｐｏｓｉｔｉｏｎｉｎｇ  Ｓｙｓｔｅｍ）受信機である。位置情報取得部３１６は、例えば、ＧＰＳのための衛星から電波を受信し、携帯端末３１０が存す地理的位置を取得し、携帯端末制御部３１１に携帯端末３１０が存す地理的位置を示す携帯端末位置情報を出力する。ＧＰＳで説明したが、これに限定されるものではない。例えば、複数の携帯電話基地局からの電波に基づき位置情報を取得するように構成してもよい。
【００２５】
なお、図３に示した空気調和機１００、携帯端末３１０、及びネットワーク３２０の制御ブロックは、一例であって、これに限定されるものではない。
【００２６】
図４は、本実施形態における空気調和機１００の空気調和機制御部３０１の機能的構成の一例を示す図である。図４に示すように、空気調和機１００の空気調和機制御部３０１は、例えば、機能ブロックとして、空気調和機位置情報取得手段４０１、携帯端末位置情報取得手段４０２、距離情報取得手段４０３、距離情報判定手段４０４、及び掃除制御手段４０５を含む。
【００２７】
空気調和機位置情報取得手段４０１は、空気調和機１００が存する地理的位置を示す空気調和機位置情報を取得する。例えば、記憶部３０２に設定された空気調和機位置情報を、記憶部３０２から取得する。空気調和機位置情報は、例えば、空気調和機１００を設置するときに、ユーザが操作部３１５を操作して、記憶部３０２に設定するがこれに限定されるものではない。例えば、携帯端末を空気調和機１００の上に置き、携帯端末のアプリケーションにより、携帯端末の位置情報取得部３１６が取得した位置情報をネットワーク３２０を介して空気調和機１００に転送し、空気調和機１００の記憶部３０２に設定してもよい。
【００２８】
携帯端末位置情報取得手段４０２は、携帯端末３１０が存する地理的位置を示す携帯端末位置情報を取得する。具体的には、例えば、ネットワーク３２０を介して、携帯端末３１０に対し、携帯端末３１０の位置情報取得部３１６が出力した携帯端末位置情報を空気調和機１００に対し送信するよう要求する。次に、当該要求に対し、携帯端末位置情報を空気調和機１００に送信するように構成された携帯端末３１０は、携帯端末位置情報を空気調和機１００に送信する。そして、空気調和機１００の通信部３０３を介し当該携帯端末位置情報を受信し、携帯端末３１０位置情報を取得する。
【００２９】
距離情報取得手段４０３は、空気調和機位置情報取得手段４０１より取得した空気調和機位置情報及び携帯端末位置情報取得手段４０２により取得した携帯端末位置情報に基づき、空気調和機１００と携帯端末３１０との距離を取得する。具体的には、例えば、空気調和機位置情報が示す空気調和機１００が存する位置の経度緯度及び携帯端末位置情報が示す携帯端末３１０が存する位置の経度緯度に基づき取得する。距離情報取得手段４０３は、取得した空気調和機１００と携帯端末３１０との距離を示す距離情報を距離情報判定手段４０４に出力する。
【００３０】
距離情報判定手段４０４は、距離情報が示す空気調和機１００と携帯端末３１０との距離が、例えば記憶部３０２に予め設定した閾値以上か否かを判定する。閾値は、例えば、５００メートルに予め設定されている。閾値は、記憶部３０２には、例えば空気調和機１００の製造時に設定される。
【００３１】
掃除制御手段４０５は、距離情報判定手段４０４の判定結果に基づいて掃除部２０４を制御して、プレフィルタ２０２を掃除する。具体的には、例えば、掃除制御手段４０５は、掃除部２０４の駆動モータを回転させ、ブラシを回転させる。ブラシは回転することでプレフィルタ２０２上の塵を除去する。集塵部はブラシが除去した塵を集める。さらに、掃除制御手段４０５は、掃除部２０４の移動装置を制御し、掃除部２０４を、プレフィルタ２０２上を移動させる。なお、上記のように、プレフィルタ２０２を掃除部２０４に対して、移動させるように構成してもよい。
【００３２】
図５は、本実施形態にかかる空気調和機１００の処理フローの一例を示す図である。
【００３３】
図５に示すように、例えば、空気調和機１００の電源がＯＮされると、まず、空気調和機位置情報取得手段４０１は、空気調和機１００が存する地理的位置を示す空気調和機位置情報を取得する（Ｓ１０１）。
【００３４】
次に、携帯端末位置情報取得手段４０２は、携帯端末３１０が存する地理的位置を示す携帯端末位置情報を取得する（Ｓ１０２）。
【００３５】
距離情報取得手段４０３は、空気調和機位置情報取得手段４０１より取得した空気調和機位置情報及び携帯端末位置情報取得手段４０２により取得した携帯端末位置情報に基づき、空気調和機１００と携帯端末３１０との距離を取得する（Ｓ１０３）。
【００３６】
距離情報判定手段４０４は、距離情報が示す空気調和機１００と携帯端末３１０との距離が、予め設定した閾値以上か否かを判定する（Ｓ１０４）。判定結果が予め設定した閾値より小さい場合（Ｓ１０４におけるＮＯの場合）、Ｓ１０２に進み、再び、携帯端末位置情報取得手段４０２は、携帯端末位置情報を取得する。なお、Ｓ１０４におけるＮＯの場合、所定時間、例えば１分間待った後、Ｓ１０２に進むように制御してもよい。
【００３７】
一方、Ｓ１０４において、距離情報判定手段４０４が、距離情報が示す空気調和機１００と携帯端末３１０との距離が、予め設定した閾値以上と距離情報判定手段４０４が判定すると（Ｓ１０４におけるＹＥＳの場合）、掃除制御手段４０５は、掃除部２０４を制御して、プレフィルタ２０２を掃除する（Ｓ１０５）。そして、空気調和機１００は掃除を終了し、例えば、空気を清浄する通常運転に復帰する。なお、Ｓ１０４と、Ｓ１０５の間に、他の条件を判定するステップを加えてもよい。一例として、前回のプレフィルタ２０２を掃除から積算運転時間が所定の時間、例えば４８時間を超えているか否かを判定し、積算運転時間が所定の時間を超えていると判定した場合に、プレフィルタ２０２を掃除するように制御してもよい。
【００３８】
人感センサにより人体の存否を判定した場合、フィルタ掃除中に空気調和機１００を設置した部屋以外の部屋に存したユーザが、空気調和機１００を設置した部屋に入ってきてしまう虞がある。しかし、本実施形態によれば、空気調和機１００は、空気調和機１００と携帯端末３１０との距離が予め設定した閾値以上の場合に、空気調和機１００のプレフィルタ２０２を掃除する。このため、プレフィルタ２０２の掃除中に、ユーザが空気調和機１００を設置した部屋に入ってしてしまうことを回避し得る。
【００３９】
なお、上記では、空気調和機として空気清浄機で説明したが、これに限定されるものではない。吸込口にフィルタを設けた空気調和機、例えば、エアコンに適用しても良い。また、空気調和機１００と携帯端末３１０が直接、情報及び要求を送信及び受信する例で説明したが、サーバ（図示せず）を設け、当該サーバを介して情報及び要求を送信及び受信してもよい。
＜第２の実施形態＞
【００４０】
次に、第２の実施形態について説明する。第１の実施形態とは異なり、空気調和機１００が人感センサ６０１をさらに含む点が異なるが、他は第１の実施形態と同様である。図６は第２の実施形態にかかる、空気調和機１００、携帯端末３１０、及びネットワーク３２０を含むシステム全体の制御ブロックの一例を示す図である。
【００４１】
空気調和機１００は、空気調和機制御部３０１、記憶部３０２、モータ２０７、掃除部２０４、操作部１０３、表示部１０４、通信部３０３、及び人感センサ６０１を含む。人感センサ６０１以外の空気調和機制御部３０１、記憶部３０２、モータ２０７、掃除部２０４、操作部１０３、表示部１０４、及び通信部３０３は第１の実施形態と同様であり、説明を省略する。
【００４２】
人感センサ６０１は、例えば赤外線センサであり、人体などの温度をもつものから放射されている赤外線を受信し、受信した赤外線強度に応じた信号を空気調和機制御部３０１に出力する。人感センサ６０１は、空気調和機１００の、例えば、前面に設けられる。
【００４３】
なお、図６に示した空気調和機１００、携帯端末３１０、及びネットワーク３２０の制御ブロックは、一例であって、これに限定されるものではない。
【００４４】
図７は、第２の実施形態にかかる空気調和機１００の空気調和機制御部３０１の機能的構成の一例を示す図である。図７に示すように、本実施形態の空気調和機１００の空気調和機制御部３０１は、さらに、人存否判定手段７０１を含む点が第１の実施形態と異なる。人存否判定手段７０１以外の空気調和機位置情報取得手段４０１、携帯端末位置情報取得手段４０２、距離情報取得手段４０３、及び掃除制御手段４０５は、第１の実施形態と同様であり、説明を省略する。
【００４５】
人存否判定手段７０１は、人感センサ６０１が出力した信号に基づいて、空気調和機１００の周囲に人体が存するか否かを判定する。具体的には、例えば、人感センサ６０１が出力した信号と、予め設定した閾値を比較し、予め設定した閾値以上の場合には人体が所定の範囲、例えば、空気調和機１００から半径１ｍ以内に人体が存すると判定する。一方、予め設定した閾値より小さい場合には、人体が存しないと判定する。
【００４６】
図８は、第２の実施形態にかかる処理フローの一例を示す図である。図８に基づいて本実施形態おける空気調和機１００が実行する処理フローの一例について説明する。第２の実施形態は、空気調和機１００と携帯端末３１０との距離が、予め設定した閾値以上か否かを判定した後、さらに、空気調和機１００の所定の範囲に人体が存するか否かを判定し、判定結果に応じプレフィルタ２０２を掃除する点が異なる。空気調和機１００の所定の範囲に人体が存するか否かを判定する以外の処理フローＳ２０１、Ｓ２０２，Ｓ２０３、Ｓ２０４、Ｓ２０６は第１の実施形態におけるＳ１０１、Ｓ１０２，Ｓ１０３、Ｓ１０４、Ｓ１０５と同様であり、説明を省略する。
【００４７】
空気調和機１００と携帯端末３１０との距離が、予め設定した閾値以上であると判定した場合（Ｓ２０４のＹＥＳの場合）、人存否判定手段７０１は、人感センサ６０１が出力した信号に基づいて、空気調和機１００の周囲に人体が存するか否かを判定する（Ｓ２０５）。人体が所定の範囲に存すると判定した場合には（Ｓ２０５のＮＯ）、再び、携帯端末３１０の位置情報を取得する（Ｓ２０２）。
【００４８】
一方、人存否判定手段７０１が、人体が所定の範囲に存しないと判定した場合（Ｓ２０５のＹＥＳ）、掃除制御手段４０５は、掃除部２０４を制御して、プレフィルタ２０２を掃除する（Ｓ２０６）。そして、空気調和機１００は動作を終了する。
【００４９】
なお、図８に示した空気調和機１００の処理フローは、一例であって、これに限定されるものではない。
【００５０】
本実施形態によれば、空気調和機１００は、空気調和機１００と携帯端末３１０との距離が、予め設定した閾値以上であると判定した場合、及び空気調和機１００の周囲に人体が存しないと判定した場合に、プレフィルタ２０２を掃除する。これにより、携帯端末３１０を持たない人が、空気調和機１００が設置された部屋に入った場合であっても、空気調和機１００がフィルタの掃除をしてしまうことを回避し得る。
【００５１】
なお、空気調和機１００と携帯端末３１０との距離が、予め設定した閾値以上であると判定した後、空気調和機１００の周囲に人体が存するか否か判定する例で説明したが、これに限定されるものではなく、逆であっても良い。
＜第３の実施形態＞
【００５２】
次に、第３の実施形態について説明する。第３の実施形態の、空気調和機１００、携帯端末３１０、及びネットワーク３２０を含むシステム全体の制御ブロックは、第１の実施形態と同様である。一方、第３の実施形態の空気調和機１００の空気調和機制御部３０１の機能的構成は、さらに、掃除可否問合手段９０１および掃除可否判定手段９０２が含まれる点が第１の実施形態と異なる。
【００５３】
図９は、第３の実施形態にかかる空気調和機１００の空気調和機制御部３０１の機能的構成の一例を示す図である。掃除可否問合手段９０１および掃除可否判定手段９０２以外の空気調和機位置情報取得手段４０１、携帯端末位置情報取得手段４０２、距離情報取得手段４０３、及び掃除制御手段４０５は、第１の実施形態と同様であり、説明を省略する。
【００５４】
掃除可否問合手段９０１は、携帯端末３１０に対し、ネットワーク３２０を介し、プレフィルタ２０２を掃除するか否かを問い合せる。具体的には、例えば、携帯端末３１０にプレフィルタ２０２を掃除するか否かを問い合せる情報を含んだ信号を送る。なお、プレフィルタ２０２を掃除するか否かを問い合せる情報を含んだ信号を受け取った携帯端末３１０は、例えば、携帯端末３１０にインストールされたアプリケーションソフトによりプレフィルタ２０２を掃除するか否か問う表示を携帯端末３１０の表示部３１４に表示する。そして、プレフィルタ２０２を掃除するか否か問う表示に対し、ユーザが携帯端末３１０の操作部３１５を操作し、プレフィルタ２０２を掃除することを肯定する操作した場合には、携帯端末３１０は、プレフィルタ２０２を掃除することを肯定する情報を含んだ信号を、空気調和機１００に送る。一方、ユーザがプレフィルタ２０２を掃除することを否定する操作をした場合は、携帯端末３１０は、プレフィルタ２０２を掃除することを否定する情報を含んだ信号を、空気調和機１００に送る。
【００５５】
掃除可否判定手段９０２は、携帯端末３１０から受け取った信号が、プレフィルタ２０２を掃除することを肯定する情報を含んだ信号か、否定する情報を含んだ信号かを判定する。
【００５６】
図１０は、第３の実施形態にかかる処理フローの一例を示す図である。図１０に基づいて本実施形態おける空気調和機１００が実行する処理フローの一例について説明する。第３の実施形態は、空気調和機１００と携帯端末３１０との距離が、予め設定した閾値以上か否かを判定した後、さらに、携帯端末３１０にプレフィルタ２０２を掃除するか否かを問合せ、問合せに対する携帯端末３１０からの信号に応じ、プレフィルタ２０２を掃除する点が第１の実施形態と異なる。携帯端末３１０にプレフィルタ２０２を掃除するか否かを問合せ、問合せに対する携帯端末３１０からの信号に応じ、プレフィルタ２０２を掃除する以外の処理フローＳ３０１、Ｓ３０２、Ｓ３０３、Ｓ３０４、Ｓ３０７は、第１の実施形態Ｓ１０１、Ｓ１０２、Ｓ１０３、Ｓ１０４、Ｓ１０５と同様であり、説明を省略する。
【００５７】
空気調和機１００と携帯端末３１０との距離が、予め設定した閾値以上であると判定した場合（Ｓ３０４のＮＯの場合）、掃除可否問合手段９０１は、携帯端末３１０に対し、ネットワーク３２０を介し、プレフィルタ２０２を掃除するか否かを問い合せる（Ｓ３０５）。
【００５８】
次に、掃除可否判定手段９０２は、携帯端末３１０から受け取った信号が、プレフィルタ２０２を掃除することを肯定する情報を含んだ信号か、否定する情報を含んだ信号かを判定する（Ｓ３０６）。プレフィルタ２０２を掃除することを否定する情報を含んだ信号であると判定した場合（Ｓ３０６のＮＯ）には、空気調和機１００は動作を終了する。
【００５９】
一方、掃除可否判定手段９０２が、プレフィルタ２０２を掃除することを肯定する情報を含んだ信号であると判定した場合（Ｓ３０６のＹＥＳ）には、Ｓ３０７に進み、掃除制御手段４０５は、掃除部２０４を制御して、プレフィルタ２０２を掃除する（Ｓ３０７）。そして、空気調和機１００は動作を終了する。
【００６０】
図１０に示した空気調和機１００の処理フローは、一例であって、これに限定されるものではない。
【００６１】
本実施形態によれば、空気調和機１００は、空気調和機１００と携帯端末３１０との距離が、予め設定した閾値以上であると判定した場合に、携帯端末３１０にプレフィルタ２０２を掃除するか否かを問い合せる。これによりユーザの応答によりフィルタの掃除が行われ、例えば、空気調和機１００が設置された住居に他のユーザが存し、空気調和機１００が設置された部屋に、他のユーザが入る虞がある場合であっても、ユーザの承認に基づきフィルタの掃除を行うことができ得る。
【００６２】
なお、携帯端末３１０に掃除をするか否かを問合せ（Ｓ３０５）は、人存否判定手段７０１が、人体が所定の範囲に存するか否かを判定し、人体が所定の範囲に存すると判定した場合に、携帯端末３１０に掃除をするか否かを問合せ（Ｓ３０５）を実行するように制御してもよい。空気調和機１００が設置された部屋に、他のユーザが居る場合であっても、ユーザの承認に基づき、フィルタの掃除を行うことができる。また、携帯端末３１０に掃除をするか否かを問い合せる際に、空気調和機１００が設定された部屋に他のユーザが存する情報を携帯端末３１０に送信し、携帯端末３１０の表示部３１４に他のユーザが存する情報を表示してもよい。ユーザは、当該情報に基づきフィルタの掃除を行う操作をし得る。
【００６３】
本発明は、種々の変形が可能である。例えば、上述の構成と実質的に同一の構成、同一の作用効果を奏する構成又は同一の目的を達成することができる構成で置き換えることができる。
【００６４】
なお、空気調和機１００と携帯端末３１０との距離と比較する閾値は、予め、例えば記憶部３０２に空気調和機１００の製造時に設定される例で説明したが、空気調和機１００で設定できるように構成してもよい。例えば、携帯端末３１０の移動速度に基づいて、空気調和機１００と携帯端末３１０との距離と比較する閾値を設定しても良い。徒歩で移動する場合、毎時４ｋｍ程度で移動するので、閾値を３００メートル設定すれば、５分程度は、ユーザは空気調和機１００が存する場所に帰って来ない。一方、自動車で移動する場合、毎時４０ｋｍで移動するとすれば、閾値を３キロメートルに設定すれば、同様に５分程度は、ユーザは空気調和機１００が存する場所に帰って来ない。なお、携帯端末３１０の移動速度は、例えば、１分毎に、携帯端末３１０の位置情報を取得し、その差分から移動速度を取得する。自動車等の移動速度の早い交通手段で移動した場合であっても、帰宅したときにフィルタの掃除していることを回避し得る。
なお、特許請求の範囲における受信部は、例えば、通信部３０３に相当する。
【符号の説明】
【００６５】
１００・・・空気調和機、１０１・・・筐体、１０２・・・吹出口、１０３・・・操作部、１０４・・・表示部、２０１・・・吸込口、２０２・・・プレフィルタ、２０３・・・集塵フィルタ、２０４・・・掃除部、２０５・・・送風機、２０６・・・空気通路、２０７・・・モータ、２０８・・・ファン、３０１・・・空気調和機制御部、３０２・・・記憶部、３０３・・・通信部、３１０・・・携帯端末、３１１・・・携帯端末制御部、３１２・・・通信部、３１３・・・記憶部、３１４・・・表示部、３１５・・・操作部、３１６・・・位置情報取得部、３２０・・・ネットワーク、４０１・・・空気調和機位置情報取得手段、４０２・・・携帯端末位置情報取得手段、４０３・・・距離情報取得手段、４０４・・・距離情報判定手段、４０５・・・掃除制御手段、６０１・・・人感センサ、７０１・・・人存否判定手段、９０１・・・掃除可否問合手段、９０２・・・掃除可否判定手段
【図１】
2020134025.tif 000003
【図２】
2020134025.tif 000004
【図３】
2020134025.tif 000005
【図４】
2020134025.tif 000006
【図５】
2020134025.tif 000007
【図６】
2020134025.tif 000008
【図７】
2020134025.tif 000009
【図８】
2020134025.tif 000010
【図９】
2020134025.tif 000011
【図１０】
2020134025.tif 000012